(57)【要約】【課題】  身体等の被指圧体の指圧すべき部位に応じて指圧効果を自在且つ手軽に変化させることができる指圧マットを提供する。【解決手段】  弾性マット部材２と、弾性マット部材２表面に所定の配列で拡縮可能に穿設された複数の指圧球用孔３と、曲面状の頂部を有し、選択された指圧球用孔３に、その収縮力に抗して、少なくとも頂部を突出させて脱着可能に押圧嵌入される硬質指圧球４と、弾性マット部材２表面に、各指圧球用孔３の周辺において、嵌入時の硬質指圧球４の頂部高さより低い高さで突設された複数の弾性指圧球５とから構成される。【選択図】      図１
2007068595.tif 000002
【特許請求の範囲】
【請求項１】
弾性マット部材と、弾性マット部材表面に所定の配列で拡縮可能に穿設された複数の指圧球用孔と、曲面状の頂部を有し、選択された指圧球用孔に、その収縮力に抗して、少なくとも頂部を突出させて脱着可能に押圧嵌入される硬質指圧球と、弾性マット部材表面に、各指圧球用孔の周辺において、嵌入時の硬質指圧球の頂部高さより低い高さで突設された複数の弾性指圧球とからなる指圧マット。
【請求項２】
弾性マット部材表面に所定の配列で複数の弾性隆起部が突設され、各弾性隆起部に指圧球用孔が穿設されると共に該弾性隆起部における指圧球用孔の周辺に複数の弾性指圧球が突設された請求項１に記載の指圧マット。
【請求項３】
硬質指圧球が指圧球用孔に、その底面に配置した深さ調整部材を介して押圧嵌入されるようにした請求項１又は２に記載の指圧マット。
【請求項４】
硬質指圧球が指圧球用孔に、その内側面に配置した内径調整部材を介して押圧嵌入されるようにした請求項１又は２に記載の指圧マット。
【発明の詳細な説明】
【技術分野】
【０００１】
本発明は、ベッド用マットレス、ソファーマット、蒲団、座布団、足踏み板等に使用され、身体等の被指圧体に当接させて該被指圧体に指圧効果を与える指圧マットに関する。
【背景技術】
【０００２】
身体等の被指圧体との当接面に指圧球を設けて該被指圧体に指圧効果を与えるようにした指圧マットは周知である。前記のような指圧マットとして、例えば、実開平６−７５４９１号公報（特許文献１）には、ゴム製マットの一面に、同一の大きさをもつ半球状の突起物を縦横に整列させて配置した自力マッサージ・マットが開示され、また特開２００１−９５８９３号公報（特許文献２）には、紐通し孔を形成した複数の磁石球と、該磁石球の紐通し孔に挿入されるストリングと、該ストリングの両端部がそれぞれ接続され、前記磁石球を内部に保有する布状部を有する健康マットが開示されている。
【０００３】
しかしながら、前記従来の指圧マットでは、使用時に身体等の被指圧体と当接する指圧球としての半球状の突起物や磁石球が一様に配列されているので、該被指圧体の指圧すべき部位に応じて指圧効果を自在且つ手軽に変化させることが困難であった。
【特許文献１】実開平６−７５４９１号公報
【特許文献２】特開２００１−９５８９３号公報
【発明の開示】
【発明が解決しようとする課題】
【０００４】
本発明の課題は、身体等の被指圧体の指圧すべき部位に応じて指圧効果を自在且つ手軽に変化させることができる指圧マットを提供することにある。
【課題を解決するための手段】
【０００５】
請求項１に記載の発明に係る指圧マットは、弾性マット部材と、弾性マット部材表面に所定の配列で拡縮可能に穿設された複数の指圧球用孔と、曲面状の頂部を有し、選択された指圧球用孔に、その収縮力に抗して、少なくとも頂部を突出させて脱着可能に押圧嵌入される硬質指圧球と、弾性マット部材表面に、各指圧球用孔の周辺において、嵌入時の硬質指圧球の頂部高さより低い高さで突設された複数の弾性指圧球とからなるものである。
【０００６】
前記構成の指圧マットでは、弾性マット部材表面に穿設された複数の指圧球用孔の内、身体等の被指圧体への適用時に該被指圧体の指圧すべき部位に対応する位置にある指圧球用孔に予め硬質指圧球が選択的に押圧嵌入される。
【０００７】
前記構成の指圧マットの使用に際して、該指圧マット上に、必要に応じて柔軟性シートを介して被指圧体の一部又は全体を体重等の荷重下に載置させると、該被指圧体の指圧すべき各部位は、それらに対応して予め配置された各硬質指圧球と弾力下に当接し、硬い感触で効果的に指圧されることになる。
【０００８】
なお、前記硬質指圧球による指圧に際して、被指圧体の指圧すべき部位による硬質指圧球への部分的荷重が強きに過ぎて指圧力がある限度を超えるような場合は、前記部分的荷重の大きさに応じて、前記部位に当接する硬質指圧球が指圧球用孔内に保持されつつ弾性マット部材の弾力に抗して沈み込み、その結果として被指圧体の前記指圧部位及びその周辺は前記硬質指圧球のみならずその周囲の複数の弾性指圧球によっても支持されるので、前記部位への硬い感触での適度の指圧が維持されると共に前記部位周囲への柔軟な感触での二次的な指圧が得られる。また、前記硬質指圧球による指圧に際して、被指圧体の前記指圧部位以外の部分が垂れ下がる場合も、該垂れ下がり部分は前記硬質指圧球周囲の複数の弾性指圧球によってある程度支持されるので、全体として安定した身体状態においての所定部位への効果的な指圧が得られることになる。
【０００９】
また、前記構成の指圧マットは、必要に応じて、同じ形状、大きさのもの又は相異なる形状、大きさのものを複数枚組み合わせて使用してもよい。例えば、前記指圧マットをソファーマット、座布団、足踏み板等の比較的小さいものに適用する場合は、それらの大きさに応じた指圧マットを１枚のみ使用してもよく、またそのように小さい指圧マットを大きなベッド用マットレスに適用する場合は、前記小さな指圧マットを複数枚組み合わせて使用してもよい。
【００１０】
前記弾性マット部材には、例えば所要の反発性を有する発泡ウレタンその他の発泡プラスチックを単層の状態又は反発性や材質を異にする複数層の積層状態で使用することができる。
【００１１】
前記硬質指圧球は、それによる指圧時に被指圧体と当接する頂部が曲面状を呈するものであればよく、球形状や楕円球形状等のような曲面形状以外に、例えば円柱形状や角柱形状の台に前記曲面形状の一部又は全体を含む指圧体が連結されたもの等も使用可能であり、それらは中空体であっても中実体であっても差し支えない。また、前記硬質指圧球には、例えば金属、セラミック、プラスチック、木材、セルロース系成形材等やそれらの複合材料を適宜使用することができ、それらに例えば磁性材料、遠赤外線放射材料、マイナスイオン発生材料、天然放射性稀有元素鉱物材料等の身心に良好な作用等を奏し得る材料が混入され、或いは複合されていてもよい。
【００１２】
前記弾性指圧球は、その形状には特別の限定はないが、それによる指圧時に被指圧体と当接する頂部が球形状や楕円球形状等のような曲面形状を呈するものが好ましい。また、前記弾性指圧球には、例えば弾性マット部材と同様又は異種の弾性材を使用することができる。
【００１３】
前記硬質指圧球が押圧嵌入される弾性マット部材上の指圧球用孔としては、該硬質指圧球の形状、外径、所望突出高さ等に応じて、該硬質指圧球の押圧嵌入により径が弾力に抗して幾分拡張すると共にその弾性収縮力より硬質指圧球を弾性マット部材上に保持し得るように、その内部形状、内径、深さ等が選択される。例えば、硬質指圧球が球形状を呈する場合に、それに対応する指圧球用孔としては、該球形状の硬質指圧球が押圧嵌入可能な、適宜の内径及び深さを有する円柱形状孔、四角柱形状その他の多角柱形状孔、半球形状孔等が必要に応じて適宜選択されてもよい。なお、前記指圧球用孔は、弾性マット部材上に例えば格子状や千鳥状に配置される。
【００１４】
請求項２に記載の発明に係る指圧マットは、請求項１に記載の発明において、弾性マット部材表面に所定の配列で複数の弾性隆起部が突設され、各弾性隆起部に指圧球用孔が穿設されると共に該弾性隆起部における指圧球用孔の周辺に複数の弾性指圧球が突設されたものである。前記構成では、硬質指圧球及び弾性指圧球による指圧が、弾性マット部材の弾力みならず弾性隆起部の弾力を介してより効果的に行われる。なお、硬質指圧球が押圧嵌入されない弾性隆起部の頂部周辺は、必要に応じて、別の弾性指圧球として身体等の被指圧体の支持及び二次的指圧等に寄与することになる。
【００１５】
前記請求項３に記載の発明に係る指圧マットは、請求項１又は２に記載の発明において、構成の指圧マットにおいて、硬質指圧球が指圧球用孔に、その底面に配置した深さ調整部材を介して押圧嵌入されたものである。前記構成では、深さ調整部材により、指圧球用孔に押圧嵌入される硬質指圧球の頂部高さを適宜調整して所要の指圧効果を得ることができ、また弾性マット部材の材質劣化等による指圧球用孔の底面低下を補完して所要の指圧効果を維持することができる。前記深さ調整部材としては、弾性マット部材と同様又は異種の弾性材や剛性材であってもよく、何れも種々の厚みのものを準備することが好ましい。
【００１６】
また、前記請求項４に記載の発明に係る指圧マットは、請求項１又は２に記載の発明において、前記構成の指圧マットにおいて、硬質指圧球が指圧球用孔に、その内側面に配置した内径調整部材を介して押圧嵌入されされたものである。前記構成では、内径調整部材により、硬質指圧球が押圧嵌入された指圧球用孔の収縮による該硬質指圧球の保持力を高めることができ、また弾性マット部材の材質劣化等による指圧球用孔の内径拡張を補完して所要の硬質指圧球の保持力を維持することができる。
【発明の効果】
【００１７】
以上のように、請求項１に記載の発明によれば、弾性マット部材表面に穿設された複数の指圧球用孔の内、身体等の被指圧体への適用時に該被指圧体の指圧すべき部位に対応する位置にある指圧球用孔に硬質指圧球が選択的に押圧嵌入されるので、身体の指圧すべき部位に応じて指圧効果を自在且つ手軽に変化させることができる指圧マットを提供することができる。
【００１８】
請求項２に記載の発明によれば、請求項１に記載の発明に係る指圧マットにおいて、硬質指圧球及び弾性指圧球による指圧が、弾性マット部材の弾力みならず弾性隆起部の弾力を介してより効果的に行われ、また硬質指圧球が押圧嵌入されない弾性隆起部の頂部周辺は、弾性指圧球が前記のように作用する前に別の弾性指圧球として予備的に作用する。
【００１９】
請求項３に記載の発明によれば、請求項１又は２に記載の発明に係る指圧マットにおいて、深さ調整部材により、指圧球用孔に押圧嵌入される硬質指圧球の頂部高さを適宜調整して所要の指圧効果を得ることができ、また弾性マット部材の材質劣化等による指圧球用孔の底面低下を補完して所要の指圧効果を維持することができる。
【００２０】
請求項４に記載の発明によれば、請求項１又は２に記載の発明に係る指圧マットにおいて、内径調整部材により、硬質指圧球が押圧嵌入された指圧球用孔の収縮による該硬質指圧球の保持力を高めることができ、また弾性マット部材の材質劣化等による指圧球用孔の内径拡張を補完して所要の硬質指圧球の保持力を維持することができる。
【発明を実施するための最良の形態】
【００２１】
以下、本発明を実施例に基づいて具体的に説明する。
図１（Ａ）は、本発明の第一実施例に係る指圧マットの平面図、図１（Ｂ）は図１（Ａ）のＩ−Ｉ線切断拡大端面図である。図２（Ａ）は、本発明の第二実施例に係る指圧マットの要部平面図、図２（Ｂ）は図２（Ａ）のII−II線切断端面図である。図３（Ａ）及び（Ｂ）は、図１及び図２に示す指圧マットにおいて、その指圧球用孔に各々深さ調整部材及び内径調整部材を介して硬質指圧球が押圧嵌入された場合における要部端面図である。
【００２２】
先ず、図１（Ａ）及び（Ｂ）に示す第一実施例に係る指圧マット１においては、所要の厚みを有する矩形の弾性マット部材２表面に格子状の配列で複数の円柱形状の指圧球用孔３が適宜の深さで穿設され、これら複数の指圧球用孔３の内、身体への適用時に該身体の指圧すべき部位に対応する位置にある指圧球用孔３には予め球形状の硬質指圧球４が選択的に押圧嵌入されている。また、前記弾性マット部材２表面には、各指圧球用孔３の周辺に格子状の配列で、嵌入時の硬質指圧球４の頂部高さより低い高さで複数の半球形状の弾性指圧球５が突設されている。
【００２３】
前記構成の指圧マット１の使用に際して、図１（Ｂ）に示すように、前記指圧マット１上に、柔軟性シート（図示省略）を介して身体等の被指圧体６が体重等の荷重下に載置させられ、該被指圧体６の指圧すべき各部位６ａ、６ｂは、それらに対応して予め配置された各硬質指圧球４と弾力下に当接し、硬い感触で効果的に指圧されることになる。
【００２４】
前記被指圧体６の指圧部位６ａ、６ｂの内、荷重が図中に短い矢印で示すように比較的小さい指圧部位６ａでは、硬質指圧球４による指圧力が小さく、該硬質指圧球４の沈み込みも小さいので、前記指圧部位６ａ周辺は前記硬質指圧球４周囲の弾性指圧球５と殆ど又は全く当接していない。一方、前記被指圧体６の指圧部位６ａ、６ｂの内、荷重が図中に長い矢印で示すように比較的大きい指圧部位６ｂでは、硬質指圧球４による指圧力が大きく、該硬質指圧球４の沈み込みも大きいので、前記指圧部位６ｂ周辺は前記硬質指圧球４周囲の弾性指圧球５に支持されると共にそれらにより柔軟な感触で指圧され、また大荷重下における前記指圧部位６ｂへの硬質指圧球４による硬い感触での指圧が過剰にならないように維持される。
【００２５】
次に、図２（Ａ）及び（Ｂ）に示す第二実施例に係る指圧マット１１においては、所要の厚みを有する矩形の弾性マット部材２表面に格子状又は千鳥状の配列で複数の丘陵形状の弾性隆起部７が突設され、各弾性隆起部７中央に円柱形状の指圧球用孔３が適宜の深さで穿設され、これら複数の指圧球用孔３の内、被指圧体６への適用時に該被指圧体６の指圧すべき部位６ａ、６ｂに対応する位置にある指圧球用孔３には予め球形状の硬質指圧球４が選択的に押圧嵌入されている。また、前記弾性マット部材２の各弾性隆起部７表面には、各指圧球用孔３の周辺にそれから等距離且つ互いに等角度の配列で、嵌入時の硬質指圧球４の頂部高さより低い高さで複数の半球形状の弾性指圧球５が突設されている。
【００２６】
前記構成の指圧マット１１の使用に際して、図２（Ｂ）に示すように、前記指圧マット２上に、柔軟性シート（図示省略）を介して身体等の被指圧体６が体重等の荷重下に載置させられ、該被指圧体６の指圧すべき各部位６ａ、６ｂは、それらに対応する各弾性隆起部７に予め配置された硬質指圧球４と弾力下に当接し、硬い感触で効果的に指圧されることになる。
【００２７】
前記被指圧体６の指圧部位６ａ、６ｂの内、荷重が図中に短い矢印で示すように比較的小さい指圧部位６ａでは、硬質指圧球４による指圧力が小さく、該硬質指圧球４の沈み込みも小さいので、前記指圧部位６ａ周辺は前記硬質指圧球４周囲の弾性指圧球５と殆ど又は全く当接していない。一方、前記被指圧体６の指圧部位６ａ、６ｂの内、荷重が図中に長い矢印で示すように比較的大きい指圧部位６ｂでは、硬質指圧球４による指圧力が大きく、該硬質指圧球４の沈み込みも大きいので、前記指圧部位６ｂ周辺は前記硬質指圧球４周囲の弾性指圧球５に支持されると共にそれらにより柔軟な感触で指圧され、また大荷重下における前記指圧部位６ｂへの硬質指圧球４による硬い感触での指圧が過剰にならないように維持される。
【００２８】
さらに、図３（Ａ）に示す指圧マット１、１１においては、前記第一実施例及び第二実施例における指圧球用孔３に、その底面に配置した深さ調整部材８を介して硬質指圧球４が押圧嵌入され、それによって指圧球用孔３に押圧嵌入される硬質指圧球４の頂部高さが調整されている。
【００２９】
また、図３（Ｂ）に示す指圧マット１、１１においては、前記第一実施例及び第二実施例における指圧球用孔３に、その内側面に配置した内径調整部材９を介して押圧嵌入され、それによって硬質指圧球４が押圧嵌入された指圧球用孔３の収縮による該硬質指圧球４の保持力が高められ、或いは維持されている。
【００３０】
なお、本発明は、前記実施例に限定されるものではない。例えば、前記実施例では、一枚のみの指圧マット１、１１について説明されているが、必要に応じて、同じ形状、大きさのものや相異なる形状、大きさのものが複数枚組み合わせて使用される。また、前記実施例では、典型例として球形状の硬質指圧球４と円柱形状の指圧球用孔３の組み合わせが採用されているが、これらの硬質指圧球４及び指圧球用孔３は前記形状に限定されない。
【図面の簡単な説明】
【００３１】
【図１】図１（Ａ）は、本発明の第一実施例に係る指圧マットの平面図、図１（Ｂ）は図１（Ａ）のＩ−Ｉ線切断拡大端面図である。
【図２】図２（Ａ）は、本発明の第二実施例に係る指圧マットの要部平面図、図２（Ｂ）は図２（Ａ）のII−II線切断端面図である。
【図３】図３（Ａ）及び（Ｂ）は、図１及び図２に示す指圧マットにおいて、その指圧球用孔に各々深さ調整部材及び内径調整部材を介して硬質指圧球が押圧嵌入された場合における要部端面図である。
【符号の説明】
【００３２】
１  指圧マット
２  弾性マット部材
３  指圧球用孔
４  硬質指圧球
５  弾性指圧球
６  被指圧体
６ａ、６ｂ  部位
７  弾性隆起部
１１  指圧マット
【図１】
2007068595.tif 000003
【図２】
2007068595.tif 000004
【図３】
2007068595.tif 000005